(57)【要約】【課題】光束の２次元的な走査によって画像を表示し、少なくとも小画面表示モードと大画面表示モードとを有する画像表示装置において、省電力化を図ることができる画像表示装置および画像サイズ変更方法を提供する。【解決手段】光束の２次元的な走査によって画像を表示し、少なくとも小画面表示モードと大画面表示モードとを有する画像表示装置であって、前記光束を２次元的に走査する光走査部と、前記光走査部の動作を制御する制御部とを有し、前記制御部は、前記光走査部に前記光束の走査角を変更させる制御を行うことにより、前記大画面表示モードと前記小画面表示モードとを切り替える。【選択図】図１
2008089931.tif 000002
【特許請求の範囲】
【請求項１】
光束の２次元的な走査によって画像を表示し、少なくとも小画面表示モードと大画面表示モードとを有する画像表示装置であって、
前記光束を２次元的に走査する光走査部と、
前記光走査部の動作を制御する制御部とを有し、
前記制御部は、前記光走査部に前記光束の走査角を変更させる制御を行うことにより、前記大画面表示モードと前記小画面表示モードとを切り替える画像表示装置。
【請求項２】
前記制御部は、前記小画面表示モード時に、前記光走査部に前記光束の走査中心を変更させる制御を行うことを特徴とする請求項１記載の画像表示装置。
【請求項３】
前記画像の表示位置を変更するために操作する表示位置変更操作部を備え、
前記制御部は、前記表示位置変更操作部が操作されたことを条件として、前記光走査部に前記光束の走査中心を変更させる制御を行うことを特徴とする請求項１または請求項２に記載の画像表示装置。
【請求項４】
前記表示モードを切り替えるために操作する表示モード切替操作部を備え、
前記制御部は、前記表示モード切替操作部が操作されたことを条件として、前記表示モードを前記小画面表示モードから前記大画面表示モードへ切り替えることを特徴とする請求項１から３のいずれか１項に記載の画像表示装置。
【請求項５】
前記制御部は、前記小画面表示モード時に、所定条件を満たすと、前記大画面表示モードに切り替えることを特徴とする請求項１から３のいずれか１項に記載の画像表示装置。
【請求項６】
画像信号が入力される画像信号入力部と、
前記画像信号入力部に入力される前記画像信号に基づいた光束を、前記光走査部へ出射する光束出射部とを備え、
前記制御部は、前記画像信号入力部に前記画像信号が入力されたことを条件として、前記表示モードを前記小画面表示モードから前記大画面表示モードへ切り替えることを特徴とする請求項５に記載の画像表示装置。
【請求項７】
画像信号が入力される画像信号入力部と、
前記画像信号入力部に入力される前記画像信号に基づいた光束を、前記光走査部へ出射する光束出射部とを備え、
前記制御部は、前記画像信号入力部に入力される画像信号に基づく画像の変化を検出したことを条件として、前記表示モードを前記小画面表示モードから前記大画面表示モードへ切り替えることを特徴とする請求項５に記載の画像表示装置。
【請求項８】
前記表示モードを切り替えるために操作する表示モード切替操作部を備え、
前記制御部は、前記表示モード切替操作部が操作されたことを条件として、前記表示モードを前記大画面表示モードから前記小画面表示モードへ切り替えることを特徴とする請求項５から７のいずれか１項に記載の画像表示装置。
【請求項９】
前記制御部は、前記大画面表示モード時に、所定条件を満たすと、前記小画面表示モードへ切り替えることを特徴とする請求項１から４のいずれか１項に記載の画像表示装置。
【請求項１０】
前記所定条件は、前記表示する画像が文字であることを特徴とする請求項９に記載の画像表示装置。
【請求項１１】
画像信号が入力される画像信号入力部と、
前記画像信号入力部に入力される前記画像信号に基づいた光束を、前記光走査部へ出射する光束出射部とを備え、
前記制御部は、前記画像信号入力部に前記画像信号の入力がないと判定すると、前記表示モードを前記大画面表示モードから前記小画面表示モードへ切り替えることを特徴とする請求項９に記載の画像表示装置。
【請求項１２】
前記画像信号が入力される画像信号入力部と、
前記画像信号入力部に入力された前記画像信号に基づいた光束を前記光走査部へ出射する光束出射部とを備え、
前記制御部は、前記画像信号入力部に入力される前記画像信号に基づく画像の変化がなくなると、前記所定条件を満たしたと判定し、前記表示モードを前記大画面表示モードから前記小画面表示モードへ切り替えることを特徴とする請求項９に記載の画像表示装置。
【請求項１３】
ユーザが操作する操作部を備え、
前記制御部は、前記操作部が操作されたことを条件として、前記表示モードを前記小画面表示モードから前記大画面表示モードへ切り替えることを特徴とする請求項９から１２のいずれか１項に記載の画像表示装置。
【請求項１４】
光束の２次元的な走査によって画像を表示し、少なくとも小画面表示モードと大画面表示モードとを有する画像表示装置における画面サイズ変更方法であって、
前記光束の走査角の大小を変更することによって、前記大画面表示モードと前記小画面表示モードとを切り替える画像サイズ変更方法。
【発明の詳細な説明】
【技術分野】
【０００１】
本発明は、画像表示装置および画像サイズ変更方法に関する。
【背景技術】
【０００２】
従来より、画像信号に基づいて生成した光束を２次元的に走査して画像を表示する画像表示装置が知られている。
【０００３】
この種の画像表示装置としては、上記画像信号に基づいて生成した光束をスクリーン上で２次元的に走査することにより、スクリーンに画像を投影して表示する投影型画像表示装置や、上記画像信号に基づいて生成した光束を２次元的に走査して使用者の眼に導き、網膜上に画像を形成する網膜走査型画像表示装置等がある。
【０００４】
これらの画像表示装置においては、例えば、ガルバノミラーなどの光走査素子を駆動することによって光束を走査する光走査部を用いており、この光走査素子の反射面を所定範囲で揺動することにより、その反射面で画像信号に応じた光束を走査しているものがある（例えば、特許文献１参照）。
【特許文献１】特開２００４−１７７４７７公報
【発明の開示】
【発明が解決しようとする課題】
【０００５】
しかし、光走査素子を用いた画像表示装置においては、表示すべき画像の大小にかかわらず、光走査素子の反射面を駆動する角度（以下、このような角度を「走査角」と呼ぶ。）が一定になっていた。
【０００６】
従って、光走査部によって走査することができる範囲のうち一部の範囲しか光束の走査に用いないような場合、光走査部において光走査素子を駆動するための電力が無駄になっていた。
【０００７】
そこで、本発明は、光束の２次元的な走査によって画像を表示し、少なくとも小画面表示モードと大画面表示モードとを有する画像表示装置において、省電力化を図ることができる画像表示装置および画像サイズ変更方法を提供することを目的とする。
【課題を解決するための手段】
【０００８】
上記目的を達成するために、請求項１記載の発明は、光束の２次元的な走査によって画像を表示し、少なくとも小画面表示モードと大画面表示モードとを有する画像表示装置であって、前記光束を２次元的に走査する光走査部と、前記光走査部の動作を制御する制御部とを有し、前記制御部は、前記光走査部に前記光束の走査角を変更させる制御を行うことにより、前記大画面表示モードと前記小画面表示モードとを切り替える画像表示装置とした。
【０００９】
請求項２記載の発明は、請求項１に記載の発明において、前記制御部は、前記小画面表示モード時に、前記光走査部に前記光束の走査中心を変更させる制御を行うことを特徴とする。
【００１０】
請求項３記載の発明は、請求項１または請求項２に記載の発明において、前記画像の表示位置を変更するために操作する表示位置変更操作部を備え、前記制御部は、前記表示位置変更操作部が操作されたことを条件として、前記光走査部に前記光束の走査中心を変更させる制御を行うことを特徴とする。
【００１１】
請求項４記載の発明は、請求項１から３のいずれか１項に記載の発明において、前記表示モードを切り替えるために操作する表示モード切替操作部を備え、前記制御部は、前記表示モード切替操作部が操作されたことを条件として、前記表示モードを前記小画面表示モードから前記大画面表示モードへ切り替えることを特徴とする。
【００１２】
請求項５記載の発明は、請求項１から３のいずれか１項に記載の発明において、前記制御部は、前記小画面表示モード時に、所定条件を満たすと、前記大画面表示モードに切り替えることを特徴とする。
【００１３】
請求項６記載の発明は、請求項５に記載の発明において、画像信号が入力される画像信号入力部と、前記画像信号入力部に入力される前記画像信号に基づいた光束を、前記光走査部へ出射する光束出射部とを備え、前記制御部は、前記画像信号入力部に前記画像信号が入力されたことを条件として、前記表示モードを前記小画面表示モードから前記大画面表示モードへ切り替えることを特徴とする。
【００１４】
請求項７記載の発明は、請求項５に記載の発明において、画像信号が入力される画像信号入力部と、前記画像信号入力部に入力される前記画像信号に基づいた光束を、前記光走査部へ出射する光束出射部とを備え、前記制御部は、前記画像信号入力部に入力される画像信号に基づく画像の変化を検出したことを条件として、前記表示モードを前記小画面表示モードから前記大画面表示モードへ切り替えることを特徴とする。
【００１５】
請求項８記載の発明は、請求項５から７のいずれか１項に記載の発明において、前記表示モードを切り替えるために操作する表示モード切替操作部を備え、前記制御部は、前記表示モード切替操作部が操作されたことを条件として、前記表示モードを前記大画面表示モードから前記小画面表示モードへ切り替えることを特徴とする。
【００１６】
請求項９記載の発明は、請求項１から４のいずれか１項に記載の発明において、前記大画面表示モード時に、所定条件を満たすと、前記小画面表示モードへ切り替えることを特徴とする。
【００１７】
請求項１０記載の発明は、請求項５に記載の発明において、前記所定条件は、前記表示する画像が文字であることを特徴とする。
【００１８】
請求項１１記載の発明は、請求項９に記載の発明において、画像信号が入力される画像信号入力部と、前記画像信号入力部に入力される前記画像信号に基づいた光束を、前記光走査部へ出射する光束出射部とを備え、前記制御部は、前記画像信号入力部に前記画像信号の入力がないと判定すると、前記表示モードを前記大画面表示モードから前記小画面表示モードへ切り替えることを特徴とする。
【００１９】
請求項１２記載の発明は、請求項９に記載の発明において、前記画像信号が入力される画像信号入力部と、前記画像信号入力部に入力された前記画像信号に基づいた光束を前記光走査部へ出射する光束出射部とを備え、前記制御部は、前記画像信号入力部に入力される前記画像信号に基づく画像の変化がなくなると、前記所定条件を満たしたと判定し、前記表示モードを前記大画面表示モードから前記小画面表示モードへ切り替えることを特徴とする。
【００２０】
請求項１３記載の発明は、請求項９から１２のいずれか１項に記載の発明において、ユーザが操作する操作部を備え、前記制御部は、前記操作部が操作されたことを条件として、前記表示モードを前記小画面表示モードから前記大画面表示モードへ切り替えることを特徴とする。
【００２１】
請求項１４記載の発明は、光束の２次元的な走査によって画像を表示し、少なくとも小画面表示モードと大画面表示モードとを有する画像表示装置における画面サイズ変更方法であって、前記光束の走査角の大小を変更することによって、前記大画面表示モードと前記小画面表示モードとを切り替える画像サイズ変更方法とした。
【発明の効果】
【００２２】
請求項１、１４記載の発明によれば、画像表示装置において、光束の走査角の大小を変更することによって、表示する画像のサイズを切り替えるので、駆動電圧を小さくすることによる省電力化を実現することができ、また、捻れ角度を少なくすることによるスキャナの耐久性を向上させることができる。
【００２３】
請求項２記載の発明によれば、光走査部によって光束の走査中心を変更するので、小画面を所望の位置に表示することができる。
【００２４】
請求項３記載の発明によれば、ユーザによる操作によって、光束の走査中心を変更するので、ユーザの要望に沿った表示を実行することができる。
【００２５】
請求項４記載の発明によれば、ユーザが希望するときに、表示する画像のサイズを大画面にすることができる。
【００２６】
請求項５記載の発明によれば、小画面表示モード時に、所定条件を満たすと、大画面表示モードに切り替えるので、所定条件を満たさないときに小画面で表示するので、例えば、大画面で表示する必要がないときを所定条件として自動的に小画面にすることで、消費電力を低減することができる。
【００２７】
請求項６記載の発明によれば、画像信号入力部に画像信号が入力されたことを条件として、表示モードを小画面表示モードから大画面表示モードへ切り替えるので、入力された画像を大画面でみることができ、ユーザは、表示画像の内容を容易に視認することができる。
【００２８】
請求項７記載の発明によれば、画像信号入力部に入力される画像信号に基づく画像の変化を検出したことを条件として、小画面表示モードから大画面表示モードへ切り替えるので、変化した画像をユーザが容易に視認することができる。
【００２９】
請求項８記載の発明によれば、表示モード切替操作部をユーザが操作したことを条件として、大画面表示モードを小画面表示モードへ切り替えるので、ユーザの要望に合致した表示モードを選択することができる。
【００３０】
請求項９記載の発明によれば、大画面表示モードを、所定条件を満たすと、小画面表示モードへ切り替えるので、条件に応じて画面モードを適切に選択することができる。
【００３１】
請求項１０記載の発明によれば、表示する画像が文字であるときに小画面で表示するので、省電力化を図ることができる。
【００３２】
請求項１１記載の発明によれば、画像信号入力部に画像信号の入力がないと判定すると、大画面表示モードから小画面表示モードへ切り替えるので、例えば、画像信号の入力がないときに、入力信号が無い旨の情報を小画面で表示させることにより、省電力化を図ることができる。
【００３３】
請求項１２記載の発明によれば、入力された画像信号に基づく画像の変化がなくなると、大画面表示モードから小画面表示モードへ切り替えるので、例えば、画像の変化したときに画像をよく見たい場合だけ大画面で表示することで、省電力化を図ることができる。
【００３４】
請求項１３記載の発明によれば、操作部が操作されたことを条件として、小画面表示モードから大画面表示モードへ切り替えるので、ユーザの要望に応じて、大画面表示モードに変えることができる。
【発明を実施するための最良の形態】
【００３５】
以下、本発明に係る画像表示装置の一実施形態について図面を参照して説明する。なお、本実施形態では、画像表示装置として、使用者の頭部に装着して使用する画像表示装置であって、画像信号に基づいて生成した光束を２次元的に走査し、その走査された光を眼に導き網膜上に画像を形成する網膜走査型のヘッドマウントディスプレイ（以下、「ＨＭＤ：Head Mount Display」という。）を例に挙げて説明するが、本発明は、これに限定されるものではなく、画像信号に基づいて生成した光束をスクリーン上で２次元的に走査することによりスクリーン上に画像を投影して表示するレーザープロジェクタのような投影型画像表示装置に対しても適用することができるものである。
【００３６】
図１は、本実施形態に係る画像表示装置による画像の表示モードを切り替えた状態の一例を示す説明図であり、図２は、本実施形態に係る画像表示装置の電気的構成を示す機能ブロック図である。
【００３７】
（画像表示装置による表示モード切替の概要）
本実施形態の画像表示装置であるＨＭＤは、使用者が頭部に装着した状態で映像コンテンツ等の画像を鑑賞する装置であり、画像信号を変調した光束を、使用者の少なくとも一方の網膜に投影すると共に２次元的に走査して画像を表示（投影表示）し、少なくとも小画面表示モードと大画面表示モードを有する。
【００３８】
ここで、大画面表示モードとは、ＨＭＤを通常使用する場合に、表示する画像の大きさを使用者が見やすいと感じる予め定めた最大の大きさに設定するモードであり、小画面表示モードとは、表示する画像の大きさを大画面表示モードよりも小さく設定するモードである。
【００３９】
そして、このＨＭＤは、光束を２次元的に走査する光走査部と、光走査部の動作を制御する制御部とを有しており、この制御部によって、光走査部に光束の走査角を変更させることにより、大画面表示モードと小画面表示モードとを切り替えるようにしている。
【００４０】
すなわち、大画面表示モードにおいて、制御部は、図１（ａ）に示すように、比較的大きな走査角で光束を２次元的に走査して大画面の画像Ｖ１を表示するようにしている。また、制御部は、この大画面表示モードを小画面表示モードに変更する場合に、光束の走査角を大画面表示モードのときよりも小さくすることで、光束の走査範囲を縮小し、大画面表示モードのときよりも画像面積を縮小した画像Ｖ２を表示する。
【００４１】
ここで、本実施形態においては、光束の走査範囲の変更を後述する第１光走査部である水平走査部と第２光走査部である垂直走査部とを制御することによって行う。水平走査部は、画像の水平方向の走査を行う機能を有しており、垂直走査部は画像の垂直方向の走査を行う機能を有している。
【００４２】
小画面表示モードには、図１（ｂ）に示すように、垂直方向に加え、水平方向の走査範囲を縮小した画像Ｖ２、図１（ｃ）に示すように、垂直方向の走査範囲のみ縮小した画像Ｖ３がある。
【００４３】
垂直方向の走査範囲の縮小は、垂直走査部による光束の走査角を小さくすることによって行う。また、水平方向の走査範囲の縮小は、水平走査部による光束の走査角を小さくすることによって行う。
【００４４】
このように、本実施形態のＨＭＤは、光走査部による光束の走査角を小さくすることで大画面表示モードから小画面表示モードへ切り替えるように構成しているため、光走査部の駆動電力を低減することができ、これによりＨＭＤの消費電力を低減することができる。
【００４５】
また、光走査部において、ガルバノミラーなどのように、光束を反射する反射面を弾性梁で支持し、この弾性梁を駆動させることにより反射面を振るような光走査素子を用いている場合には、光束の走査角（反射面の振り幅）を小さくすることに伴い光走査素子の捻れ角が低減するので、光走査素子の耐久性を向上することができる。
【００４６】
ところで、大画面表示モードと小画面表示モードとの切り替えは、ＨＭＤのユーザが後述する表示モード切替操作部を操作することによって行うことができ、その他、所定条件の下、大画面表示モードから小画面表示モードへの切り替えや小画面表示モードから大画面表示モードへ切り替えることができるようにしている。
【００４７】
例えば、ＨＭＤに画像信号の入力がない場合や、ＨＭＤに入力された画像信号に変化がない場合などに、光走査素子が走査する光束の走査角を小さくすることによって、大画面表示モードから小画面表示モードへ切り替える。一方、ＨＭＤに画像信号の入力がある場合や、ＨＭＤに入力された画像信号に変化がある場合などに、光走査素子が走査する光束の走査角を大きくすることによって、小画面表示モードから大画面表示モードへ切り替える。
【００４８】
さらに、本実施形態においては、制御部は、小画面表示モード時に、光走査部における光束の走査中心を変更することにより、画像の表示位置を変更するようにしている。ここで、走査中心とは、光走査部による光束の走査範囲の中心を意味し、光走査部による光束の走査範囲は、この走査中心に関して対称となるようになっている。
【００４９】
すなわち、光束の走査中心の変更は、小画面表示モード時に、ＨＭＤのユーザが後述する表示位置変更操作部を操作することによって行うことができる。
【００５０】
光走査部による光束の走査中心の変更は、光走査素子の反射面の振れ角中心を変更することによって行うものであるが、光走査素子の全体を、モータ等の駆動手段によって傾斜させるようにしてもよい。
【００５１】
例えば、図１（ｃ）、図１（ｄ）に示すように、画像Ｖ３における光束の垂直方向の走査中心Ｃを、走査中心Ｃよりも垂直方向上方に位置する走査中心Ｃ´に変更することにより、画像Ｖ３の表示位置を変更した画像Ｖ３´を表示する。
【００５２】
このように、本実施形態のＨＭＤは、光束の走査中心を変更することにより、画像の表示位置を変更するように構成しているため、画像の表示位置をユーザの所望する位置に変更することができ、変化に富んだ趣向性の高い画像表示を実現できる。
【００５３】
以下、本実施形態におけるＨＭＤについて、その構成及び動作を具体的に説明する。
【００５４】
（画像表示装置の電気的構成の説明）
次に、本実施形態のＨＭＤ１の電気的構成等について、図２を参照して説明する。
【００５５】
図２に示すように、このＨＭＤ１は、ＨＭＤ１全体の動作を統括制御する制御部１１０と、外部装置から供給される画像信号をドットクロック毎に読み出し、読み出した画像信号に応じて強度変調された光束を生成して出射する光束生成部２０を備え、さらに、その光束生成部２０と使用者の眼Ｅとの間には、光束生成部２０で生成され、光ファイバ１００を介して出射されるレーザビーム（以下、「光束」と呼ぶ。）を平行光化するコリメート光学系６１と、このコリメート光学系６１で平行光化された光束を画像表示のために水平方向（1次方向）に往復走査する第１光走査部として機能する水平走査部７０と、水平走査部７０で水平方向に走査された光束を垂直方向（1次方向と異なる２次方向）に往復走査する第２光走査部として機能する垂直走査部８０と、水平走査部７０と垂直走査部８０との間に設けられたリレー光学系７５と、このように水平方向と垂直方向に走査された光束を瞳孔Ｅａへ出射するためのリレー光学系９０を備えている。
【００５６】
本実施形態では、これら水平走査部７０と、リレー光学系７５と、垂直走査部８０と、リレー光学系９０とが、画像信号に基づいて生成した光束を２次元的に走査することにより画像を表示する光走査部に相当する。
【００５７】
また、光束生成部２０には、外部装置から供給される画像信号が入力される画像信号入力部としての機能を有し、入力される画像信号に基づいて画像を合成するための要素となる各信号等を発生する画像信号処理部２１が設けられており、この画像信号処理部２１において、青（Ｂ）、緑（Ｇ）、赤（Ｒ）の各画像信号２２ａ〜２２ｃが生成され、出力される。また、画像信号処理部２１は、水平走査部７０で使用される水平同期信号２３と、垂直走査部８０で使用される垂直同期信号２４とをそれぞれ出力する。
【００５８】
さらに、光束生成部２０は、画像信号処理部２１からドットクロック毎に出力される３つの画像信号（Ｂ，Ｒ，Ｇ）２２ａ〜２２ｃをそれぞれ光束にする光源部３０と、これらの３つの光束を１つの光束に結合して任意の光束を生成するための光合成部４０を備えている。
【００５９】
光源部３０は、青色の光束を発生させるＢレーザ３４及びＢレーザ３４を駆動するＢレーザドライバ３１と、緑色の光束を発生させるＧレーザ３５及びＧレーザ３５を駆動するＧレーザドライバ３２と、赤色の光束を発生させるＲレーザ３６及びＲレーザ３６を駆動するＲレーザドライバ３３とを備えている。なお、各レーザ３４、３５、３６は、例えば、半導体レーザや高調波発生機構付き固体レーザとして構成することが可能である。なお、半導体レーザを用いる場合は駆動電流を直接変調して、光束の強度変調を行うことができるが、固体レーザを用いる場合は、各レーザそれぞれに外部変調器を備えて光束の強度変調を行う必要がある。
【００６０】
光合成部４０は、光源部３０から入射する光束を平行光にコリメートするように設けられたコリメート光学系４１、４２、４３と、このコリメートされた光束を合成するためのダイクロイックミラー４４、４５、４６と、合成された光束を光ファイバ１００に導く結合光学系４７とを備えている。
【００６１】
各レーザ３４、３５、３６から出射したレーザ光は、コリメート光学系４１、４２、４３によってそれぞれ平行化された後に、ダイクロイックミラー４４、４５、４６に入射される。その後、これらのダイクロイックミラー４４、４５、４６により、各光束が波長に関して選択的に反射・透過される。
【００６２】
具体的には、Ｂレーザ３４から出射した青色光束は、コリメート光学系４１によって平行光化された後に、ダイクロイックミラー４４に入射される。Ｇレーザ３５から出射した緑色光束は、コリメート光学系４２を経てダイクロイックミラー４５に入射される。Ｒレーザ３６から出射した赤色光束は、コリメート光学系４３を経てダイクロイックミラー４６に入射される。
【００６３】
それら３つのダイクロイックミラー４４、４５、４６にそれぞれ入射した３原色の光束は、波長を選択的に反射または透過して結合光学系４７に達し、集光され光ファイバ１００へ出力される。
【００６４】
水平走査部７０及び垂直走査部８０は、光ファイバ１００から入射された光束を画像として投影可能な状態にするために、水平方向と垂直方向に走査して走査光束とするものである。このとき、光束生成部２０、光ファイバ１００、コリメート光学系６１とが、画像信号入力部に入力される画像信号に基づいた光束を、光走査部に出射する光束出射部として機能する。
【００６５】
水平走査部７０は、光束を水平方向に走査するため反射面を有する光走査素子７１と、この光走査素子７１を共振させ、光走査素子７１の反射面を揺動させる、言い換えると、光走査素子７１を共振駆動する駆動信号を発生する駆動信号発生器としての水平走査駆動回路７２とを有している。この水平走査部７０は、垂直走査部８０より高速にすなわち高周波数で光束を走査するように設計されている。
【００６６】
垂直走査部８０は、光束を垂直方向に走査するための光走査素子８１と、この光走査素子８１を駆動させる垂直走査制御回路８２とを備えている。
【００６７】
なお、水平走査部７０の光走査素子７１と、垂直走査部８０の光走査素子８１とは、光を走査するようにその反射面が揺動させられるものであれば、上記のように共振駆動によるものに限られず、圧電駆動、電磁駆動、静電駆動等いずれの駆動方式によるものであってもよい。
【００６８】
また、水平走査駆動回路７２と垂直走査制御回路８２は、画像信号処理部２１から出力される水平同期信号２３と垂直同期信号２４に基づいてそれぞれ駆動する。
【００６９】
そして、後に詳述する制御部１１０は、画像信号処理部２１の動作を制御することによって、これら水平同期信号２３と垂直同期信号２４とを調整することによって、水平走査部７０と垂直走査部８０に光束の走査角を変更させて、例えば図１（ｂ）に示すように、表示する画像の大きさを変更するようにしている。
【００７０】
本実施形態における共振駆動の場合には、水平走査部７０と垂直走査部８０のうち少なくとも垂直走査部８０に光束の走査角を変更させて、表示する画像の大きさを変更するようにしても良い。少なくとも垂直走査部８０に光束の走査角を変更させるのは、共振駆動の場合には、水平方向の走査に比べ、垂直方向の走査の方が低速で走査され制御し易いため、例えば図１（ｃ）に示すように、表示する画像の大きさを垂直方向のみ変更する場合に特に有効であるからである。
【００７１】
制御部１１０はまた、画像信号処理部２１の動作を制御することによって、これら水平同期信号２３と垂直同期信号２４とを調整することによって、水平走査部７０と垂直走査部８０に光束の走査中心を変更させるようにしている。具体的には、制御部１１０は、水平走査部７０、垂直走査部８０にそれぞれ設けられた図示しないモータ等の駆動手段の駆動電圧を走査中心がずれるように制御して、この駆動手段を駆動することによって、光走査素子７１、光走査素子８１自体をそれぞれ傾斜させて光束の走査中心を変更させるようになっている。このように、駆動電圧を走査中心がずれるように制御すれば、例えば図１（ｄ）に示すように、画像の表示位置を変更することが可能となる。
【００７２】
また、水平走査部７０と垂直走査部８０との間での光束を中継するリレー光学系７５を備えており、光走査素子７１によって水平方向に走査された光は、リレー光学系７５を通って、光走査素子８１によって垂直方向に走査されて、走査光束として、リレー光学系９０へ出射される。
【００７３】
リレー光学系９０は、正の屈折力を持つレンズ系９１、９４を有している。垂直走査部８０から出射された表示用走査光束は、レンズ系９１によって、それぞれの光束がその光束の中心線を相互に平行にされ、かつそれぞれ収束光束に変換される。そして、レンズ系９４によってほぼ平行な光束となると共に、これらの光束の中心線が使用者の瞳孔Ｅａに収束するように変換される。
【００７４】
なお、本実施形態においては、光ファイバ１００から入射された光束を、水平走査部７０で水平方向に走査した後、垂直走査部８０によって垂直方向に走査することとしたが、水平走査部７０と垂直走査部８０との配置を入れ替え、垂直走査部８０によって垂直方向に走査した後、水平走査部７０で水平方向に走査するようにしてもよい。
【００７５】
また、制御部１１０は、ＣＰＵ（Central Processing Unit）１０１と、ＲＯＭ（Read Only Memory）１０２と、ＲＡＭ（Random Access Memory）１０３とを備えている。
【００７６】
そして、ＣＰＵ１０１、ＲＯＭ１０２、ＲＡＭ１０３は、データ通信用のバスにそれぞれ接続されており、このデータ通信用のバスを介して各種情報の送受信を行う。
【００７７】
また、この制御部１１０は、使用者により操作される操作部６と接続されている。この操作部６には、使用者が操作する図示しない複数のスイッチが設けられている。
【００７８】
具体的には、図示を省略するが、ＨＭＤ１に表示する画像の大きさを変更する画像変更機能を選択するための画像変更機能選択スイッチ、画像の表示位置を変更するために操作する表示位置変更操作部としての表示位置変更スイッチ、小画面表示モードと大画面表示モードとを切り替えるために操作する表示モード切替操作部としての表示モード切替スイッチなどが設けられている。
【００７９】
ＣＰＵ１０１は、ＲＯＭ１０２に記憶されている各種プログラムを実行することにより、ＨＭＤ１を構成する図示しない各種回路を動作させて、ＨＭＤ１が備える各種機能を実行させる演算処理装置である。
【００８０】
ＲＯＭ１０２は、ＨＭＤ１により画像の再生、停止、早送り、巻き戻し等を行う際に光束生成部２０、水平走査部７０、垂直走査部８０等を動作させるための画像再生プログラム、ＨＭＤ１により表示する画像の大きさを変更する際に水平走査部７０、垂直走査部８０等の光走査部を動作させるための画面変更機能プログラム等、制御部１１０がＨＭＤ１全体の動作を統括制御するためにＣＰＵ１０１により実行される各種プログラムを記憶しているプログラム記憶手段として機能するものである。
【００８１】
ＲＡＭ１０３は、ＣＰＵ１０１がＲＯＭ１０２に記憶している各種プログラムを実行する際に作業領域として使用したり、各種フラグを記憶する一時記憶手段である。
【００８２】
また、このＲＡＭ１０３には、図示しないインターフェース部を介して外部装置から画像信号として入力される映像コンテンツ等に相当する画像情報を一時的に記憶するようにしており、ＨＭＤ１により画像を表示する際に制御部１１０は、このＲＡＭ１０３に一時記憶している画像情報を読み出して、画像を表示する処理を行う。
【００８３】
このように構成したＨＭＤ１の制御部１１０は、上記のように、第１走査部である水平走査部７０と第２光走査部である垂直走査部８０との少なくともいずれか一方に光束の走査角を変更させる制御を行うことにより、表示する画像の大きさを変更するようにしている。
【００８４】
すなわち、この制御部１１０は、使用者が表示する画像の大きさを変更するために操作部６に設けられている画面変更機能選択スイッチを操作すると、ＲＯＭ１０２に記憶している画面変更機能プログラムを実行し、表示モード切替スイッチの操作に応じて光走査部の光走査素子７１と光走査素子８１とに光束の走査角を変更させる制御を行うのである。
【００８５】
（画像表示装置の制御部が行う処理の説明）
次に、本実施形態のＨＭＤ１における制御部１１０が行う処理について、図３〜図６を参照して説明する。図３は本実施形態に係るＨＭＤ１の制御部１１０が行うメイン処理を示すフローチャート、図４は本実施形態に係るＨＭＤ１の制御部１１０が行う画面変更機能処理を示すフローチャート、図５は本実施形態に係るＨＭＤ１の制御部１１０が行う第１走査角変更処理を示すフローチャート、図６は本実施形態に係るＨＭＤ１の制御部１１０が行う第２走査角変更処理を示すフローチャートである。
【００８６】
（メイン処理の説明）
図３に示すように、メイン処理において制御部１１０は、電源がＯＮされると、まずハードディスク（図示略）のアクセス許可や、ＲＡＭ１０３の作業領域を初期化する等の初期設定処理を行い（ステップＳ１）、ステップＳ２に処理を移す。
【００８７】
ステップＳ２において、制御部１１０は、画面変更機能が選択されたか否かを判断する。具体的には、使用者により操作部６に設けられた画面変更機能選択スイッチが押下されたことを示す信号を受信したか否かにより、画面変更機能が選択されたか否かを判断するのである。
【００８８】
この処理において、制御部１１０は、画面変更機能が選択されていないと判断すると（ステップＳ２：Ｎｏ）、ステップＳ３に処理を移し、画面変更機能が選択されたと判断すると（ステップＳ２：Ｙｅｓ）、ステップＳ５に処理を移す。
【００８９】
ステップＳ３において、制御部１１０は、光走査部が走査する光束の走査角を大に設定する制御を行い、ステップＳ４に処理を移す。具体的には、制御部１１０は、水平走査部７０と垂直走査部８０との少なくともいずれか一方に大画面表示モードに対応した走査角で光束を走査させる制御を行うことにより、表示モードを大画面表示モードとするのである。
【００９０】
ステップＳ５において、制御部１１０は、画面変更機能処理を実行し、ステップＳ４に処理を移す。この画面変更機能処理は、図４におけるステップＳ１０〜ステップＳ１６の処理であり、後述で詳説する。
【００９１】
ステップＳ４において、制御部１１０は、ＨＭＤ１の電源がＯＦＦにされたか否かを判断する。
【００９２】
この処理において、電源がＯＦＦにされたと判断すると（ステップＳ４：Ｙｅｓ）、制御部１１０は、ＨＭＤ１の動作を停止して、メイン処理を終了する。
【００９３】
一方、この処理において、電源がＯＦＦにされていないと判断すると（ステップＳ４：Ｎｏ）、制御部１１０は、ステップＳ２に処理を移行し、ステップＳ２からの処理を繰り返す。
（画面変更機能処理の説明）
次に、制御部１１０がメイン処理のステップＳ５で行う画面変更機能処理について、図４を参照して説明する。
【００９４】
この画面変更機能処理において、制御部１１０は、まず、外部装置からＨＭＤ１への画像信号の入力があるか否かを判断する（ステップＳ１０）。
【００９５】
ステップＳ１０において、画像信号の入力がないと判断すると（ステップＳ１０：Ｙｅｓ）、制御部１１０は、ステップＳ１１に処理を移し、無信号フラグを、ＨＭＤ１に画像信号が入力されていないことを示す値である「１」に設定した後、ステップＳ１２に処理を移す。
【００９６】
このステップＳ１１において、制御部１１０は、無信号フラグを「１」に設定すると共に、例えば、「Ｎｏ  Ｓｉｇｎａｌ」などの入力信号が無い旨の画像情報を作成してＲＡＭ１０３に記憶する。
【００９７】
ステップＳ１２において、制御部１１０は、光走査部が走査する光束の走査角を小に設定する制御を行い、ステップＳ１３に処理を移す。具体的には、制御部１１０は、水平走査部７０と垂直走査部８０との少なくともいずれか一方に小画面表示モードに対応した走査角で光束を走査させる制御を行うことにより、表示モードを小画面表示モードとするのである。
【００９８】
ステップＳ１３において、制御部１１０は、第１走査角変更処理を行い、画面変更機能処理を終了して処理をメイン処理へ戻す。この第１走査角変更処理は、制御部１１０が所定条件を満たすか否か判断し、所定条件を満たすと、ステップＳ１２にて小画面表示モードとした表示モードを大画面表示モードに切り替える処理である。なお、第１走査角変更処理については、後に図５を参照して具体的に説明する。
【００９９】
一方、ステップＳ１０において、画像信号の入力があると判断すると（ステップＳ１０：Ｎｏ）、制御部１１０は、ステップＳ１４に処理を移し、デフォルトが小画面モードであるか否かの判断を行う。
【０１００】
ここで、制御部１１０は、予めＲＡＭ１０３に記憶されたデフォルト値として、小画面表示モードが設定されているか否かを判断することにより、デフォルトが小画面表示モードであるか否かを判断するのである。なお、予めＲＡＭ１０３に記憶されたデフォルト値は、使用者の設定により大画面表示モードへ変更可能となっている。
【０１０１】
ステップＳ１４において、制御部１１０は、デフォルトが小画面表示モードであると判断すると（ステップＳ１４：Ｙｅｓ）、ステップＳ１２に処理を移し、デフォルトが小画面表示モードでないと判断すると（ステップＳ１４：Ｎｏ）、ステップＳ１５に処理を移す。
【０１０２】
ステップＳ１５において、制御部１１０は、光走査部が走査する光束の走査角を大に設定する制御を行い、ステップＳ１６に処理を移す。具体的には、制御部１１０は、水平走査部７０と垂直走査部８０との少なくともいずれか一方に大画面表示モードに対応した走査角で光束を走査させる制御を行うことにより、表示モードを大画面表示モードとするのである。
【０１０３】
ステップＳ１６において、制御部１１０は、第２走査角変更処理を行い、画面変更機能処理を終了して処理をメイン処理へ戻す。この第２走査角変更処理は、制御部１１０が所定条件を満たすか否か判断し、所定条件を満たすと、ステップＳ１５にて大画面表示モードとした表示モードを小画面表示モードに切り替える処理である。なお、第２走査角変更処理については、後に図６を参照して具体的に説明する。
（第１走査角変更処理の説明）
次に、制御部１１０が画面変更機能処理のステップＳ１３で行う第１走査角変更処理について、図５を参照して説明する。
【０１０４】
この第１走査角変更処理において、制御部１１０は、まず、操作部６の表示モード切替スイッチが押下されたか否かを判断する（ステップＳ２０）。
【０１０５】
ステップＳ２０において、制御部１１０は、操作部６の表示モード切替スイッチが押下されたと判断した場合に（ステップＳ２０：Ｙｅｓ）、ステップＳ２１に処理を移し、操作部６の表示モード切替スイッチが押下されていないと判断した場合に（ステップＳ２０：Ｎｏ）、ステップＳ２２に処理を移す。
【０１０６】
ステップＳ２１において、制御部１１０は、光走査部が走査する光束の走査角を小から大に変更する制御を行い、この第１走査角変更処理を終了して処理を画像変更機能処理に戻す。具体的には、制御部１１０は、水平走査部７０と垂直走査部８０との少なくともいずれか一方に大画面表示モードに対応した走査角で光束を走査させる制御を行うことにより、表示モードを小画面表示モードから大画面表示モードへと切り替えるのである。
【０１０７】
ステップＳ２２において、制御部１１０は、無信号フラグが「１」であるか否かの判断を行い、無信号フラグが「１」でない場合に（ステップＳ２２：Ｎｏ）、ステップＳ２５に処理を移行し、無信号フラグが「１」である場合に（ステップＳ２２：Ｙｅｓ）、ステップＳ２３に処理を移行する。
【０１０８】
ステップＳ２３において、制御部１１０は、外部装置からＨＭＤ１への画像信号の入力があるか否かの判断を行い、画像信号の入力があると判断した場合に（ステップＳ２３：Ｙｅｓ）、制御部１１０は、ステップＳ２４に処理を移し、無信号フラグを、ＨＭＤ１に画像信号が入力されていることを示す値である「０」に設定した後、ステップＳ２１に処理を移し、画像信号の入力がないと判断した場合に（ステップＳ２３：Ｎｏ）、ステップＳ２５に処理を移す。
【０１０９】
ステップＳ２５において、制御部１１０は、静止フラグがＨＭＤ１に入力される画像信号に基づく画像に変化がないことを示す値である「１」であるか否かの判断を行い、静止フラグが「１」でない場合に（ステップＳ２５：Ｎｏ）、この第１走査角変更処理を終了して処理を画像変更機能処理に戻し、静止フラグが「１」である場合に（ステップＳ２５：Ｙｅｓ）、ステップＳ２６に処理を移す。
【０１１０】
ステップＳ２６において、制御部１１０は、外部装置からＨＭＤ１に入力される画像信号に基づく画像の変化があるか否かの判断を行い、画像信号に基づく画像の変化がある場合に（ステップＳ２６：Ｙｅｓ）、ステップＳ２７に処理を移し、静止フラグを、外部装置からＨＭＤ１に入力される画像信号に基づく画像の変化があることを示す値である「０」に設定した後、ステップＳ２１に処理を移し、画像信号に基づく画像の変化がない場合に（ステップＳ２６：Ｎｏ）、この第１走査角変更処理を終了して処理を画像変更機能処理に戻す。
（第２走査角変更処理の説明）
次に、制御部１１０が画面変更機能処理のステップＳ１６で行う第２走査角変更処理について、図６を参照して説明する。
【０１１１】
この第２走査角変更処理において、制御部１１０は、まず、操作部６の表示モード切替スイッチが押下されたか否かを判断する（ステップＳ３０）。
【０１１２】
ステップＳ３０において、制御部１１０は、操作部６の表示モード切替スイッチが押下されたと判断した場合に（ステップＳ３０：Ｙｅｓ）、ステップＳ３１に処理を移し、操作部６の表示モード切替スイッチが押下されていないと判断した場合に（ステップＳ３０：Ｎｏ）、ステップＳ３２に処理を移す。
【０１１３】
ステップＳ３１において、制御部１１０は、光走査部が走査する光束の走査角を大から小に変更する制御を行い、この第２走査角変更処理を終了して処理を画像変更機能処理に戻す。具体的には、制御部１１０は、水平走査部７０と垂直走査部８０との少なくともいずれか一方に小画面表示モードに対応した走査角で光束を走査させる制御を行うことにより、表示モードを大画面表示モードから小画面表示モードへと切り替えるのである。
【０１１４】
また、ステップＳ３１においては、制御部１１０は、ＲＡＭ１０３からステップＳ１１にて作成した、例えば、「Ｎｏ  Ｓｉｇｎａｌ」などの入力信号が無い旨の画像情報を読み出し、この画像情報に基づく画像を画像信号処理部２１を制御して表示する。
【０１１５】
さらに、ステップＳ３１においては、制御部１１０は、表示位置変更スイッチが押下されたと判断した場合に、光走査部が走査する光束の走査中心を変更させる制御を行うことにより、画面の表示位置を変更するようになっている。
【０１１６】
ステップＳ３２において、制御部１１０は、無信号フラグが「０」であるか否かの判断を行い、無信号フラグが「０」でない場合に（ステップＳ３２：Ｎｏ）、ステップＳ３５に処理を移行し、無信号フラグが「０」である場合に（ステップＳ３２：Ｙｅｓ）、ステップＳ３３に処理を移行する。
【０１１７】
ステップＳ３３において、制御部１１０は、外部装置からＨＭＤ１への画像信号の入力があるか否かの判断を行い、画像信号の入力がないと判断した場合に（ステップＳ３３：Ｙｅｓ）、制御部１１０は、ステップＳ３４に処理を移し、無信号フラグを、ＨＭＤ１に画像信号が入力されていないことを示す値である「１」に設定した後、ステップＳ３１に処理を移し、画像信号の入力があると判断した場合に（ステップＳ３３：Ｎｏ）、ステップＳ３５に処理を移す。
【０１１８】
ステップＳ３５において、制御部１１０は、静止フラグがＨＭＤ１に入力される画像信号に基づく画像に変化があることを示す値である「０」であるか否かの判断を行い、静止フラグが「０」でない場合に（ステップＳ３５：Ｎｏ）、この第２走査角変更処理を終了して処理を画像変更機能処理に戻し、静止フラグが「０」である場合に（ステップＳ３５：Ｙｅｓ）、ステップＳ３６に処理を移す。
【０１１９】
ステップＳ３６において、制御部１１０は、外部装置からＨＭＤ１に入力される画像信号に基づく画像の変化があるか否かの判断を行い、画像信号に基づく画像の変化がない場合に（ステップＳ３６：Ｙｅｓ）、ステップＳ３７に処理を移し、静止フラグを、外部装置からＨＭＤ１に入力される画像信号に基づく画像の変化がないことを示す値である「１」に設定した後、ステップＳ３１に処理を移し、画像信号に基づく画像の変化がある場合に（ステップＳ３６：Ｎｏ）、この第２走査角変更処理を終了して処理を画像変更機能処理に戻す。
【０１２０】
以上では、大画面表示モードと小画面表示モードとの切り替えを、表示モード切替スイッチの操作、画像信号の入力の有無、画像信号に基づく画像の変化の有無によって行うこととしたが、他の条件により切り替えを行うことができる。例えば、入力される画像信号がコンテンツとして文字情報と画像情報とを含むことができる場合には、この文字情報と画像情報とによって以下のように、大画面表示モードと小画面表示モードとの切り替えを行うことができる。
【０１２１】
すなわち、画像信号に文字情報のみが含まれている場合には、小画面表示モードによりその文字情報に基づいた画像を表示し、画像信号に画像情報が含まれている場合には、大画面表示モードによって画像信号に基づいた画像を表示させる。
【０１２２】
ここで、文字情報及び画像情報を含むことができる画像信号とは、アナログ信号の場合、例えば画像情報用の信号のブランキング期間に、文字情報用の信号が挿入されている画像信号をいい、デジタル信号の場合、例えば、文字情報と画像情報とをヘッダ等を付加することにより区別した画像信号をいう。
【０１２３】
以下、この処理に関し、具体的に図面を参照して説明する。図７は画像情報に加え文字情報を含むことができる画像信号に基づいた走査角変更処理の例を示すフローチャート、図８はこの処理における表示例を示す図である。
【０１２４】
図７に示すように、文字情報のみが含まれている画像信号がＨＳＤ１に入力されると、制御部１１０は、水平走査部７０や垂直走査部８０を制御することにより表示モードを小画面表示モード（このとき表示される画像の大きさは図１（ｂ）〜図１（ｄ）参照）とし、入力される画像信号に基づいた画像を表示する（ステップＳ４１）。このときに表示される画像の例を図８（ａ）に示す。
【０１２５】
その後、制御部１１０は、小画面表示モードで表示することができないコンテンツを含む画像信号が入力されたか否かを判断する（ステップＳ４２）。この判断は、入力される画像信号に画像情報が含まれているか否かで行う。すなわち、画像信号に画像情報が含まれている場合には、小画面表示モードで表示することができないコンテンツが含まれていると判断するのである。
【０１２６】
ステップＳ４２において、制御部１１０は、小画面表示モードで表示することができないコンテンツが含まれていないと判断した場合に（ステップＳ４２：Ｎｏ）、ステップＳ４５に処理を移し、小画面表示モードで表示することができないコンテンツが含まれていると判断した場合に（ステップＳ４２：Ｙｅｓ）、ステップＳ４３に処理を移す。
【０１２７】
ステップＳ４３において、制御部１１０は、水平走査部７０や垂直走査部８０を制御することにより走査角を増大させて表示モードを大画面表示モード（このとき表示される画像の大きさは図１（ａ）参照）とし、ステップＳ４４に処理を移す。
【０１２８】
ステップＳ４４において、制御部１１０は、入力される画像信号に基づいた画像を表示し、ステップＳ４５に処理を移す。このときに表示される画像の例を図８（ｂ）に示す。
【０１２９】
ステップＳ４５において、制御部１１０は、大画面表示モードで表示する必要がないコンテンツを含む画像信号が入力されたか否かを判断する。この判断は、入力される画像信号に文字情報のみが含まれているか否かに行う。すなわち、画像信号に文字情報のみが含まれている場合には、大画面表示モードで表示する必要がないコンテンツが含まれていると判断するのである。
【０１３０】
この処理において、制御部１１０は、大画面表示モードで表示する必要がないコンテンツが含まれていないと判断した場合に（ステップＳ４５：Ｎｏ）、ステップＳ４２に処理を移し、大画面表示モードで表示する必要がないコンテンツが含まれていると判断した場合に（ステップＳ４５：Ｙｅｓ）、ステップＳ４６に処理を移す。
【０１３１】
ステップＳ４６において、制御部１１０は、水平走査部７０や垂直走査部８０を制御することにより走査角を減少させて表示モードを小画面表示モード（このとき表示される画像の大きさは図１（ｂ）〜図１（ｄ）参照）とし、ステップＳ４７に処理を移す。
【０１３２】
ステップＳ４７において、制御部１１０は、入力される画像信号に基づいた画像を表示する。以降、制御部１１０は、ステップＳ４２の処理を繰り返し行う。
【０１３３】
なお、ここでは、小画面表示モードで表示することができないコンテンツとして画像情報を例に挙げて説明したが、画像情報に基づいて表示する画像の大きさが小さい場合には、小画面表示モードで表示するようにしてもよい。すなわち、画像信号に基づく画像のサイズに応じて小画面表示モードと大画面表示モードとを切り替えるのである。
【０１３４】
また、ここでは、入力される画像信号に含まれるコンテンツに応じて、大画面表示モードと小画面表示モードとの切り替えを行うようにしたが、大画面表示モードと小画面表示モードとの切り替えを行うことにより、コンテンツに基づいて表示する画像の表示態様を変更し得るようにしても良い。
【０１３５】
例えば、文字情報のみが含まれている画像信号がＨＳＤ１に入力されている場合について図９を参照して説明する。図９（ａ）に示すように、大画面表示モード時に、「あいう…」から成る文字情報のみがコンテンツとして含まれている画像信号がＨＳＤ１に入力されている場合に、表示モードを大画面表示モードから小画面表示モードに切り替えると、画像の表示態様は、図９（ｂ）に示す表示態様に変更される。
【０１３６】
このとき、制御部１１０は、水平走査部７０を制御することにより水平方向の走査範囲を縮小し、表示モードを小画面表示モードとすると共に、画像信号処理部２１を制御して、文字情報に基づいて表示される一行あたりの文字数を、図９（ａ）に示す７文字から図９（ｂ）に示す３文字に変更して表示するのである。
【０１３７】
以上のように、本実施形態におけるＨＭＤ１においては、光束の走査角の大小を変更することによって、表示する画像のサイズを切り替えるので、駆動電圧を小さくすることによる省電力化を実現することができ、また、捻れ角度を少なくすることによるスキャナの耐久性を向上させることができる。
【０１３８】
以上、本発明の好ましい実施の形態について説明したが、本発明はかかる特定の実施形態に限定されるものではなく、特許請求の範囲に記載された本発明の要旨の範囲内において、種々の変形・変更が可能である。
【図面の簡単な説明】
【０１３９】
【図１】本実施形態に係る画像表示装置による画像の表示モードを切り替えた状態の一例を示す説明図である。
【図２】本実施形態に係る画像表示装置の電気的構成を示す機能ブロック図である。
【図３】本実施形態に係る画像表示装置の制御部が行うメイン処理を示すフローチャートである。
【図４】本実施形態に係る画像表示装置の制御部が行う画面変更機能処理を示すフローチャートである。
【図５】本実施形態に係る画像表示装置の制御部が行う第１走査角変更処理を示すフローチャートである。
【図６】本実施形態に係る画像表示装置の制御部が行う第２走査角変更処理を示すフローチャートである。
【図７】画像情報に加え文字情報を含むことができる画像信号に基づいた走査角変更処理の例を示すフローチャートである。
【図８】図７に示す走査角変更処理における表示例を示す図である。
【図９】文字情報のみが含まれている画像信号が画像表示装置に入力されている場合に画像の表示態様が変更した態様を説明するための図である。
【符号の説明】
【０１４０】
１  ＨＭＤ（画像表示装置）
６  操作部
Ｖ１〜Ｖ３、Ｖ３´  画像
１１０  制御部
２０  光束生成部
７０  水平走査部
７１  光走査素子
７５  リレー光学系
８０  垂直走査部
８１  光走査素子
９０  リレー光学系
【図１】
2008089931.tif 000003
【図２】
2008089931.tif 000004
【図３】
2008089931.tif 000005
【図４】
2008089931.tif 000006
【図５】
2008089931.tif 000007
【図６】
2008089931.tif 000008
【図７】
2008089931.tif 000009
【図８】
2008089931.tif 000010
【図９】
2008089931.tif 000011